(57)【要約】      （修正有）【課題】位置（座標）を簡易に検出可能なポインティングデバイスを提供する。【解決手段】ポインティングデバイスは、入力平面を規定する第１の入力部１０と、入力平面内の位置Ｌｘ，Ｌｙ（任意の位置）に接触可能な第２の入力部３０と、制御装置と、を備えている。電源の他端Ｔ４が第１の抵抗部の他端Ｔ２に接続される時に、第３の電位（Ｔ３）と第１の電位（Ｔ１）との間の差である電圧Ｅｘが生成され、電源の他端Ｔ４が第２の入力部Ｔ３に接続される時に、第２の電位（Ｔ２）と第１の電位（Ｔ１）との間の差である電圧Ｅｙが生成される。制御装置は、電圧Ｅｘ及び電圧Ｅｙの双方に基づき、入力平面内の位置Ｌｘ，Ｌｙを決定する。【選択図】図２
2015191275.tif 000002
【特許請求の範囲】
【請求項１】
入力平面を規定する第１の入力部と、
前記入力平面内の任意の位置である第１の位置に接触可能な第２の入力部と、
前記第１の入力部から第１の電位及び第２の電位を入力するとともに、前記第２の入力部から第３の電位を入力する制御装置と、
を備え、
前記第１の入力部は、前記入力平面を構成する第１の軸及び第２の軸に、それぞれ平行に配置される第１の抵抗部及び第２の抵抗部と、を有し、
前記第１の抵抗部の一端は、前記第１の電位に対応し、
前記第１の抵抗部の他端は、前記第２の電位に対応し、
前記第２の入力部は、前記第３の電位に対応し、
第４の電位と前記第１の電位との間の差である第１の電圧を生成する電源の一端は、前記第１の抵抗部の前記一端に接続され、
前記電源の他端は、前記第４の電位に対応し、
前記電源の他端が前記第１の抵抗部の前記他端又は前記第２の入力部の一方に接続される時に、前記第３の電位と前記第１の電位との間の差である第２の電圧が生成され、
前記電源の他端が前記第１の抵抗部の前記他端又は前記第２の入力部の他方に接続される時に、前記第２の電位と前記第１の電位との間の差である第３の電圧が生成され、
前記制御装置は、前記第２の電圧及び前記第３の電圧の双方に基づき、前記第１の位置を決定することを特徴とするポインティングデバイス。
【請求項２】
前記第２の抵抗部は、前記第１の抵抗部をｉ（ｉは、２以上の整数である）個の抵抗に分割可能な（ｉ＋１）個の第２の抵抗部であることを特徴とする請求項１に記載のポインティングデバイス。
【請求項３】
前記（ｉ＋１）個の第２の抵抗部は、導電性シートの１辺の側に形成され、
前記導電性シートの前記１辺は、前記第２の軸に平行に配置されるｉ個の切欠部を有し、
前記第１の抵抗部は、前記導電性シートのもう１つの辺の側に形成され、
前記もう１つの辺は、前記１辺と対向することを特徴とする請求項２に記載のポインティングデバイス。
【請求項４】
前記導電性シートは、カーボン製の導電性シートであることを特徴とする請求項３に記載のポインティングデバイス。
【請求項５】
請求項１乃至４の何れか１項に記載の前記ポインティングデバイスと、
第１の音を生成可能な出力部と、
を備え、
前記ポインティングデバイスの前記制御装置は、前記第１の位置に対応する前記第１の音を決定することを特徴とする音生成装置。
【請求項６】
前記ポインティングデバイスの前記入力平面は、複数の領域に分割され、
前記制御装置は、前記第１の位置が前記複数の領域のうちのどの領域に属するのか否かを判定し、その後、判定された領域に基づき前記第１の音を決定することを特徴とする請求項５に記載の音生成装置。
【請求項７】
前記複数の領域は、固定領域を含み、
前記第１の位置及び前記入力平面内のもう１つの任意の位置である第２の位置の双方が前記固定領域に属し、且つ前記第２の入力部が前記入力平面内の前記第２の位置に接触する時に、前記出力部は、前記第１の音を生成し続けることを特徴とする請求項６に記載の音生成装置。
【請求項８】
前記複数の領域は、前記固定領域と異なる可変領域を更に含み、
前記第１の位置及び前記第２の位置の双方が前記第可変領域に属し、且つ前記第２の入力部が前記入力平面内の前記第２の位置に接触する時に、前記出力部は、前記第２の位置に対応する第２の音であって前記第１の音と異なる前記第２の音を生成することを特徴とする請求項７に記載の音生成装置。
【請求項９】
前記第１の位置及び前記第２の位置の双方が前記可変領域に属する時に、前記第２の位置が前記第１の位置よりも離れる程、前記第２の音の音色と前記第１の音の音色との差が大きいことを特徴とする請求項８に記載の音生成装置。
【発明の詳細な説明】
【技術分野】
【０００１】
本発明は、ポインティングデバイス及びそれを用いた音生成装置等に関する。
【背景技術】
【０００２】
例えば特許文献１の図１は、ポインティングデバイス１４を開示し、そのポインティングデバイス１４は、タブレット４及びペン５を有している。また、特許文献１の段落［００１２］，［００４５］，［００４７］，［００５１］，［００５２］，［００５３］の記載によれば、特許文献１の図１のタブレット４は、タブレット４上のペン５の位置（ペン座標（ｘ，ｙ））を検出して、ＣＰＵ９の検知手段９ａに出力することができる一方、ＣＰＵ９の検知手段９ａ又は図５のイベント処理部１７は、ペン座標（ｘ，ｙ）から図４の基準座標（ｂｘ，ｂｙ）に変換し、指定文字（例えば「あ」）を判定することができる。
【０００３】
また、例えば特許文献２の図１（ａ）は、入力装置１０を開示し、特許文献２の段落［００２２］の記載によれば、その入力装置１０の入力領域１０ａの入力位置を検出するために、フレキシブル基板１９には、駆動回路（図示せず）が接続されている。特許文献２の段落［００３０］の記載によれば、フレキシブル基板１９に接続される複数の端子１９ａが入力領域１０ａの外側領域に形成され（特許文献２の図１（ｂ）参照）、その外側領域には、Ｘ方向及びＹ方向に沿った複数の電極パターン１１及び１２に接続される複数の金属配線９ａも形成されている。
【０００４】
ところで、特許文献１のタブレット４（入力装置）も、特許文献２の図１（ｂ）に開示されるような複数の電極パターン１１及び１２並びに複数の金属配線９ａを備える必要がある。従って、特許文献１のタブレット４及びペン５で構成されるポインティングデバイス１４の製造コストは、増加してしまう。加えて、特許文献１のタブレット４は、特許文献２の図１（ａ）のフレキシブル基板１９に接続されるような駆動回路（図示せず）又はデコーダを備える必要がある。従って、特許文献１のタブレット４がペン５の位置（ペン座標（ｘ，ｙ））を検出するために、特許文献１のタブレット４は、複雑な回路又はロジックを備える必要がある。
【先行技術文献】
【特許文献】
【０００５】
【特許文献１】特開平０５−３４１９０３号公報
【特許文献２】特開２００８−３１０５５１号公報
【発明の概要】
【０００６】
本発明の１つの目的は、製造コストを低減可能なポインティングデバイスを提供することである。本発明のもう１つの目的は、位置又は座標を簡易に検出可能なポインティングデバイスを提供することである。本発明の他の目的は、以下に例示する態様及び好ましい実施形態、並びに添付の図面を参照することによって、当業者に明らかになるであろう。
【０００７】
以下に、本発明の概要を容易に理解するために、本発明に従う態様を例示する。
【０００８】
第１の態様において、ポインティングデバイスは、
入力平面を規定する第１の入力部と、
前記入力平面内の任意の位置である第１の位置に接触可能な第２の入力部と、
前記第１の入力部から第１の電位及び第２の電位を入力するとともに、前記第２の入力部から第３の電位を入力する制御装置と、
を備え、
前記第１の入力部は、前記入力平面を構成する第１の軸及び第２の軸に、それぞれ平行に配置される第１の抵抗部及び第２の抵抗部と、を有し、
前記第１の抵抗部の一端は、前記第１の電位に対応し、
前記第１の抵抗部の他端は、前記第２の電位に対応し、
前記第２の入力部は、前記第３の電位に対応し、
第４の電位と前記第１の電位との間の差である第１の電圧を生成する電源の一端は、前記第１の抵抗部の前記一端に接続され、
前記電源の他端は、前記第４の電位に対応し、
前記電源の他端が前記第１の抵抗部の前記他端又は前記第２の入力部の一方に接続される時に、前記第３の電位と前記第１の電位との間の差である第２の電圧が生成され、
前記電源の他端が前記第１の抵抗部の前記他端又は前記第２の入力部の他方に接続される時に、前記第２の電位と前記第１の電位との間の差である第３の電圧が生成され、
前記制御装置は、前記第２の電圧及び前記第３の電圧の双方に基づき、前記第１の位置を決定する。
【０００９】
第１の態様によれば、制御装置は、第２の電圧（第３の電位と第１の電位との間の差）及び第３の電圧（第２の電位と第１の電位との間の差）との双方に基づき、入力平面内の第１の位置を決定することができる。このように、第１の位置（入力平面内の座標）は、２つの電圧に基づくので、ポインティングデバイス又は制御装置は、座標を簡易に検出することができる。加えて、制御装置は、第１の電位、第２の電位及び第３の電位を入力するための配線を準備しているに過ぎないので、ポインティングデバイス又は制御装置の製造コストは、低減される。
【００１０】
第１の態様に従属する第２の態様において、
前記第２の抵抗部は、前記第１の抵抗部をｉ（ｉは、２以上の整数である）個の抵抗に分割可能な（ｉ＋１）個の第２の抵抗部であってもよい。
【００１１】
第２の態様によれば、第１の抵抗部がｉ個の抵抗に分割される。言い換えれば、第１の抵抗部がｉ個の抵抗を有するので、ポインティングデバイス又は制御装置は、入力平面内の第１の軸の方向の分解能を（ｉ＋１）に設定することができる。
【００１２】
第２の態様に従属する第３の態様において、
前記（ｉ＋１）個の第２の抵抗部は、導電性シートの１辺の側に形成されてもよく、
前記導電性シートの前記１辺は、前記第２の軸に平行に配置されるｉ個の切欠部を有してもよく、
前記第１の抵抗部は、前記導電性シートのもう１つの辺の側に形成されてもよく、
前記もう１つの辺は、前記１辺と対向してもよい。
【００１３】
第３の態様によれば、導電性シートの１辺がｉ個の切欠部を有するので、（ｉ＋１）個の第２の抵抗部を導電性シートの１辺の側に形成することができる。加えて、導電性シートには、（ｉ＋１）個の第２の抵抗部だけでなく、第１の抵抗部も形成される。言い換えれば、（ｉ＋１）個の第２の抵抗部だけでなく、第１の抵抗部も、導電性シートから構成される。これにより、入力平面又は第１の入力部を簡易に製造することができる。
【００１４】
第３の態様に従属する第４の態様において、
前記導電性シートは、カーボン製の導電性シートであってもよい。
【００１５】
第４の態様によれば、導電性シートがカーボン製の導電性シートであるので、ポインティングデバイス又は第１の入力部の製造コストは、より一層低減される。
【００１６】
第５の態様において、音生成装置は、
上記の第１〜第４の態様の何れか１つの態様である前記ポインティングデバイスと、
第１の音を生成可能な出力部と、
を備え、
前記ポインティングデバイスの前記制御装置は、前記第１の位置に対応する前記第１の音を決定する。
【００１７】
第５の態様によれば、ポインティングデバイスを音生成装置に適用することができる。これにより、ポインティングデバイスを備える音生成装置の製造コストは、低減される。加えて、音生成装置又はポインティングデバイスは、第１の音の起源である第１の位置（入力平面内の座標）を簡易に検出することができる。
【００１８】
第５の態様に従属する第６の態様において、
前記ポインティングデバイスの前記入力平面は、複数の領域に分割されてもよく、
前記制御装置は、前記第１の位置が前記複数の領域のうちのどの領域に属するのか否かを判定し、その後、判定された領域に基づき前記第１の音を決定してもよい。
【００１９】
第６の態様によれば、音生成装置又はポインティングデバイスは、第１の音の起源である第１の位置（入力平面内の座標）を複数の領域のうちの対応する１つの領域に関連付けることができる。
【００２０】
第６の態様に従属する第７の態様において、
前記複数の領域は、固定領域を含んでもよく、
前記第１の位置及び前記入力平面内のもう１つの任意の位置である第２の位置の双方が前記固定領域に属し、且つ前記第２の入力部が前記入力平面内の前記第２の位置に接触する時に、前記出力部は、前記第１の音を生成し続けてもよい。
【００２１】
第７の態様によれば、音生成装置又はポインティングデバイスは、第１の位置及び第２の位置を含む固定領域内の２つの任意の位置で第１の音を指定することができる。
【００２２】
第７の態様に従属する第８の態様において、
前記複数の領域は、前記固定領域と異なる可変領域を更に含んでもよく、
前記第１の位置及び前記第２の位置の双方が前記可変領域に属し、且つ前記第２の入力部が前記入力平面内の前記第２の位置に接触する時に、前記出力部は、前記第２の位置に対応する第２の音であって前記第１の音と異なる前記第２の音を生成してもよい。
【００２３】
第８の態様によれば、音生成装置又はポインティングデバイスは、可変領域に属する第１の位置及び第２の位置で、それぞれ、第１の音及び第２の音を指定することができる。
【００２４】
第８の態様に従属する第９の態様において、
前記第１の位置及び前記第２の位置の双方が前記可変領域に属する時に、前記第２の位置が前記第１の位置よりも離れる程、前記第２の音の音色と前記第１の音の音色との差が大きくてもよい。
【００２５】
第９の態様によれば、可変領域に属する第１の位置と第２の位置との差が例えば連続的に変化する時に、音生成装置は、第１の音の音色から例えば連続的に変化する音色を有する第２の音を生成することができる。
【００２６】
当業者は、例示した本発明に従う態様が、本発明の精神を逸脱することなく、さらに変更され得ることを容易に理解できるであろう。
【図面の簡単な説明】
【００２７】
【図１】音生成装置の構成例を示す。
【図２】図２（Ａ）及び図２（Ｂ）は、それぞれ、ｘ軸及びｙ軸方向の位置を検出する原理の説明図を示す。
【図３】図１の音生成装置の動作例を表すフローチャートを示す。
【図４】図１の入力平面が適用された鍵盤の構成例を示す。
【発明を実施するための形態】
【００２８】
以下に説明する好ましい実施形態は、本発明を容易に理解するために用いられている。従って、当業者は、本発明が、以下に説明される実施形態によって不当に限定されないことを留意すべきである。
【００２９】
図１は、音生成装置の構成例を示す。図１に示されるように、音生成装置は、ポインティングデバイス及び出力部５０を備え、そのポインティングデバイスは、入力平面を規定する第１の入力部１０と、入力平面内の位置（第１の位置）に接触可能な第２の入力部３０と、第１の入力部１０から第１の電位（Ｔ１）及び第２の電位（Ｔ２）を入力するとともに、第２の入力部３０から第３の電位（Ｔ３）を入力する制御装置２０と、を備えている。音生成装置は、操作部６０を更に備えてもよい。なお、第１の位置は、入力平面内の任意の位置である。
【００３０】
図１の横方向及び縦方向をそれぞれ例えばｘ軸及びｙ軸に設定する時に、第１の入力部１０は、入力平面を構成するｘ軸（第１の軸）に平行に配置される第１の抵抗部を有し、入力平面を構成するｙ軸（第２の軸）に平行に配置される第２の抵抗部を更に有している。ここで、図１の第１の抵抗部は、ｉ（ｉは、２以上の整数である）個の抵抗Ｒｘ１，Ｒｘ２，Ｒｘ３，・・・，Ｒｘ（ｉ−１），Ｒｘｉを有している。また、図１の第２の抵抗部は、（ｉ＋１）個の第２の抵抗部Ｒｙ０，Ｒｙ１，Ｒｙ２，Ｒｙ３，・・・，Ｒｙ（ｉ−２），Ｒｙ（ｉ−１），Ｒｙｉである。言い換えれば、１個の第１の抵抗部は、（ｉ＋１）個の第２の抵抗部Ｒｙ０，Ｒｙ１，Ｒｙ２，Ｒｙ３，・・・，Ｒｙ（ｉ−２），Ｒｙ（ｉ−１），Ｒｙｉによって、ｉ個の抵抗Ｒｘ１，Ｒｘ２，Ｒｘ３，・・・，Ｒｘ（ｉ−１），Ｒｘｉに分割されている。
【００３１】
電源４０は、第１の電位（Ｔ１）、第２の電位（Ｔ２）、第３の電位（Ｔ３）及び第４の電位（Ｔ４）の起源であり、第１の抵抗部の一端Ｔ１は、第１の電位（Ｔ１）に対応する。また、第１の抵抗部の他端Ｔ２は、第２の電位（Ｔ２）に対応し、第２の入力部３０の例えば先端Ｔ３は、第３の電位（Ｔ３）に対応する。第４の電位（Ｔ４）と第１の電位（Ｔ１）との間の差である第１の電圧を生成する電源４０の一端は、第１の抵抗部の一端Ｔ１に接続され、電源４０の他端Ｔ４は、第４の電位（Ｔ４）に対応する。言い換えれば、第４の電位（Ｔ４）と第１の電位（Ｔ１）との間の差である第１の電圧は、電源４０の両端の電圧、即ち電源電圧である。
【００３２】
図１の制御装置２０は、第１の選択部ＳＷ１及び第２の選択部ＳＷ２を備え、第１の選択部ＳＷ１及び第２の選択部ＳＷ２の各々は、第２の電位（Ｔ２）又は第３の電位（Ｔ３）を選択することができる。但し、第１の選択部ＳＷ１が第２の電位（Ｔ２）を選択する時に、第２の選択部ＳＷ２は、第３の電位を選択する。一方、第１の選択部ＳＷ１が第３の電位（Ｔ３）を選択する時に、第２の選択部ＳＷ２は、第２の電位（Ｔ２）を選択する。図１の制御装置２０は、電圧Ｅを測定可能な電圧測定部２１を備え、第２の選択部ＳＷ２が例えば第３の電位（Ｔ３）を選択する時に、電圧測定部２１は、第３の電位（Ｔ３）と第１の電位（Ｔ１）との間の差である第２の電圧（例えば図２（Ａ）のＥｘ）を電圧Ｅとして測定する。代替的に、第２の選択部ＳＷ２が例えば第２の電位（Ｔ２）を選択する時に、電圧測定部２１は、第２の電位（Ｔ２）と第１の電位（Ｔ１）との間の差である第３の電圧（例えば図２（Ｂ）のＥｙ）を電圧Ｅとして測定する。
【００３３】
図１の制御装置２０は、処理部２２を備え、処理部２２は、第２の電圧（例えば図２（Ａ）のＥｘ）及び第３の電圧（例えば図２（Ｂ）のＥｙ）の双方に基づき、入力平面内の位置（第１の位置）を決定することができる。このように、入力平面内の座標（第１の位置）は、２つの電圧に基づくので、ポインティングデバイス又は制御装置２０は、座標を簡易に検出することができる。加えて、制御装置２０は、第１の電位（Ｔ１）、第２の電位（Ｔ２）、第３の電位（Ｔ３）及び第４の電位（Ｔ４）を入力するための配線を準備しているに過ぎないので、ポインティングデバイス又は制御装置２０の製造コストは、低減される。
【００３４】
なお、図１において、制御装置２０は、外部電源である電源４０の両端電圧それ自身を利用しているが、制御装置２０は、外部電源である電源４０の両端電圧から内部電源を生成してもよい。制御装置２０が内部電源を生成する時に、内部電源の他端（高電源電位）を第４の電位（Ｔ４）に設定することができる。言い換えれば、制御装置２０は、内部電源の他端（高電源電位）である第４の電位（Ｔ４）を第１の入力部１０に出力してもよい。
【００３５】
図２（Ａ）及び図２（Ｂ）は、それぞれ、ｘ軸及びｙ軸方向の位置を検出する原理の説明図を示す。図２（Ａ）において、図１の第１の入力部１０は、例えば四角形である導電性シートである。加えて、図２（Ａ）において、図１の第１の入力部１０の第１の抵抗部は、３（ｉ＝３）個の抵抗Ｒｘ１，Ｒｘ２，Ｒｘ３を有し、図１の第２の抵抗部は、４個の第２の抵抗部Ｒｙ０，Ｒｙ１，Ｒｙ２，Ｒｙ３である。言い換えれば、図１の４個の第２の抵抗部Ｒｙ０，Ｒｙ１，Ｒｙ２，Ｒｙ３は、それぞれ、図２の導電性シートの１辺（例えば上辺）の側に形成された凸部１１，１２，１３，１４に対応し、図２（Ａ）の導電性シートの上辺は、ｙ軸に平行に配置される３個の切欠部（凹部）１５，１６，１７を有している。加えて、図１の第１の抵抗部は、図２の導電性シートのもう１つの辺（例えば上辺に対応する下辺）の側に形成された四角部１８である。
【００３６】
ところで、図１において、第２の入力部３０の例えば先端Ｔ３が第２の抵抗部Ｒｙ１の一部に接触することを仮定する。言い換えれば、第２の抵抗部Ｒｙ１が先端Ｔ３によって２つの抵抗に分割されたことを仮定する。分割された２つの抵抗のうちの１つの抵抗（下側の抵抗）が抵抗Ｒｘ１と抵抗Ｒｘ２との接続ノード（中間ノード）に接続される時に、この１つの抵抗（下側の抵抗）は、図２（Ａ）の抵抗Ｒｙである。なお、分割された２つの抵抗のうちのもう１つの抵抗（上側の抵抗）には、電流が流れないので、そのもう１つの抵抗（上側の抵抗）は、図２（Ａ）で無視することができる。
【００３７】
第２の入力部３０の例えば先端Ｔ３が第２の抵抗部Ｒｙ１の一部に接触する時に、同様に、第１の抵抗部が先端Ｔ３又は第２の抵抗部Ｒｙ１によって２つの抵抗に分割されたことを仮定する。即ち、第１の抵抗部は、抵抗Ｒｘ１と抵抗Ｒｘ２との接続ノード（中間ノード）で２つの抵抗に分割される。分割された２つの抵抗のうちの１つの抵抗（左側の抵抗）は、図２の抵抗Ｒｘである。また、分割された２つの抵抗のうちのもう１つの抵抗（右側の抵抗）は、図２の抵抗Ｒｒである。なお、ｉ＝３である時に、図２の抵抗Ｒｒは、図１の抵抗Ｒｘ２＋抵抗Ｒｘ３である。
【００３８】
図２（Ａ）に示されるように、電源４０の他端Ｔ４が第１の抵抗部の他端Ｔ２に接続される時に、第３の電位（Ｔ３）と第１の電位（Ｔ１）との間の差である第２の電圧Ｅｘが生成される。ここで、電源４０が例えば３［Ｖ］の電池である時に、第２の電圧Ｅｘは、以下の式１によって表される。
【００３９】
【数１】
2015191275.tif 000003
【００４０】
なお、ｉ＝３である時に、第１の抵抗部の抵抗は、抵抗Ｒｘ１＋抵抗Ｒｘ２＋抵抗Ｒｘ３である。言い換えれば、ＲｒとＲｘとの関係は、既知であるので、第２の電圧Ｅｘを測定することによって、抵抗Ｒｘを求めることができる。また、第１の抵抗部又は四角部１８のｘ軸方向に沿った１［ｍｍ］当たりの抵抗が例えば１［Ω］である時に、言い換えれば、図２のｘ軸方向の位置（長さ）Ｌｘと抵抗Ｒｘとの関係が既知である時に、第２の電圧Ｅｘを測定することによって、ｘ軸方向の位置Ｌｘを求めることができる。このような関係を表す式又はテーブルは、例えば図１の記憶部２４に記憶することができる。
【００４１】
次に、図２（Ｂ）に示されるように、電源４０の他端Ｔ４が第２の入力部の例えば先端Ｔ３に接続される時に、第２の電位（Ｔ２）と第１の電位（Ｔ１）との間の差である第３の電圧Ｅｙが生成される。ここで、電源４０が例えば３［Ｖ］の電池である時に、第３の電圧Ｅｙは、以下の式２によって表される。
【００４２】
【数２】
2015191275.tif 000004
【００４３】
第２の電圧Ｅｘを測定した直後に第３の電圧Ｅｙを測定することによって、式２中のＲｘは、式１中のＲｘと等しい。言い換えれば、式１で求めたＲｘの値を式２のＲｘに代入し、且つ第３の電圧Ｅｙを測定をすることによって、抵抗Ｒｙを求めることができる。また、第２の抵抗部Ｒｙ１又は凸部１２のｙ軸方向に沿った１［ｍｍ］当たりの抵抗が例えば１［Ω］である時に、言い換えれば、図２のｙ軸方向の位置（長さ）Ｌｙと抵抗Ｒｙとの関係が既知である時に、第３の電圧Ｅｙを測定することによって、ｙ軸方向の位置Ｌｙを求めることができる。このような関係を表す式又はテーブルは、例えば図１の記憶部２４に記憶することができる。
【００４４】
図３は、図１の音生成装置の動作例を表すフローチャートを示す。まず、図１の操作部６０がユーザに操作されて、音生成装置又は制御装置２０が起動する。制御装置２０が起動する時に、図１の処理部２２は、例えば記憶部２４に記憶されるプログラムを例えばバス２３を介して取り込んで、そのプログラムを実行することができる。その後、処理部２２は、まず、第１の選択部ＳＷ１を操作して、第１の選択部ＳＷ１は、第２の電位（Ｔ２）を選択する。これにより、電源４０の他端Ｔ４が第１の抵抗部の他端Ｔ２に接続される。同様に、処理部２２は、第２の選択部ＳＷ２を操作して、第２の選択部ＳＷ２は、第３の電位（Ｔ３）を選択する。これにより、第２の入力部３０の例えば先端Ｔ３と第１の抵抗部の一端Ｔ１とが電圧測定部２１に接続される。この状態で、処理部２２は、第３の電位（Ｔ３）と第１の電位（Ｔ１）との間の差である第２の電圧Ｅｘが検出されたか否かを判定する（図３のステップＳ０１）。
【００４５】
図１の第２の入力部３０は、例えばペンで構成され、ユーザは、第２の入力部３０又はペンを操作することができる。具体的には、第２の入力部３０の先端Ｔ３が例えば空中に浮いている時に、第３の電位（Ｔ３）は、フローティング電位である。従って、電圧測定部２１は、電圧Ｅを検出しない、或いは、フローティングを検出する。電圧測定部２１がフローティングを検出する時に、処理部２２は、第２の電圧Ｅｘが検出しないので、処理部２２は、再びステップＳＴ０１を実行する。言い換えれば、第２の電圧Ｅｘが検出されるまで、処理部２２は、待機する。
【００４６】
次に、第２の入力部３０の先端Ｔ３が第１の入力部１０の入力平面に接触する時に、例えば、第２の入力部３０の先端Ｔ３が第２の抵抗部Ｒｙ１（例えば図２（Ａ）の凸部１２）の一部に接触する時に、処理部２２は、第２の電圧Ｅｘを検出することができる。その後、処理部２２は、例えば上述の式１等を用いて、ｘ軸方向の位置Ｌｘを決定することができる（図３のステップＳＴ０２）。
【００４７】
次に、処理部２２は、ｙ軸方向の位置Ｌｙを決定するために、配線を変更する（図３のステップＳＴ０３）。具体的には、処理部２２は、第１の選択部ＳＷ１を操作して、第１の選択部ＳＷ１は、第３の電位（Ｔ３）を選択する。これにより、電源４０の他端Ｔ４が第２の入力部３０の例えば先端Ｔ３に接続される。同様に、処理部２２は、第２の選択部ＳＷ２を操作して、第２の選択部ＳＷ２は、第２の電位（Ｔ２）を選択する。これにより、第１の抵抗部の他端Ｔ２と第１の抵抗部の一端Ｔ１とが電圧測定部２１に接続される。この状態で、処理部２２は、第２の電位（Ｔ２）と第１の電位（Ｔ１）との間の差である第３の電圧Ｅｘを検出し、処理部２２は、例えば上述の式２等を用いて、ｙ軸方向の位置Ｌｙを決定する（図３のステップＳＴ０４）。ｘ軸方向の位置Ｌｘ（現在の位置Ｌｘ）及びｙ軸方向の位置Ｌｙ（現在の位置Ｌｙ）を正確に検出できるように、処理部２２は、図３のステップＳＴ０３で、第１の選択部ＳＷ１及び第２の選択部ＳＷ２の各々を早く操作することが好ましい。
【００４８】
次に、処理部２２は、ｘ軸方向の位置Ｌｘ（現在の位置Ｌｘ）及びｙ軸方向の位置Ｌｙ（現在の位置Ｌｙ）で構成される入力平面内の座標（Ｌｘ，Ｌｙ）に基づき音信号を生成し、その音信号を出力部５０に出力することができる。例えばスピーカである出力部５０は、その音信号に従う音を生成又は出力することができる（図３のステップＳＴ０５）。なお、入力平面内の座標（Ｌｘ，Ｌｙ）と音信号又は音との関係を表す式又はテーブルは、例えば図１の記憶部２４に記憶することができる。
【００４９】
次に、処理部２２は、ｘ軸方向の位置Ｌｘ（次の位置Ｌｘ）を決定するために、配線をもとに戻す（図３のステップＳＴ０６）。ここで、処理部２２は、第２の入力部３０又はペンの移動を正確に検出できるように、第１の選択部ＳＷ１及び第２の選択部ＳＷ２の各々を操作する又は切り替える時間は、短いことが好ましい。次に、処理部２２は、第２の電圧Ｅｘ（次の第２の電圧Ｅｘ）が検出され続けているか否かを判定する。言い換えれば、フローティングが検出される時に、処理部２２は、第２の電圧Ｅｘの検出が終了したことを判定することができる（図３のステップＳＴ０７）。
【００５０】
図３のステップＳＴ０７で次の第２の電圧Ｅｘが検出され続ける限り、処理部２２は、一連のステップＳＴ０２，ＳＴ０３，ＳＴ０４，ＳＴ０５，ＳＴ０６を繰り返す。一方、ステップＳＴ０７で次の第２の電圧Ｅｘが検出されない時に、具体的には、第２の入力部３０の先端Ｔ３が例えば再び空中に浮く時に、処理部２２は、ステップＳＴ０５での音の出力を停止することができる（図３のステップＳＴ０８）。出力部５０が音の出力を停止した後に、処理部２２は、ステップＳＴ０１を再び実行して、次の第２の電圧Ｅｘの検出を待機することができる。
【００５１】
図４は、図１の入力平面が適用された鍵盤の構成例を示す。図４で示されるように、第１の入力部１０は、例えば鍵盤を構成することができる。なお、図１又は例えば図２（Ａ）の第１の入力部１０を上下及び左右に反転する時に、言い換えれば、図１又は例えば図２（Ａ）の第１の入力部１０を例えば時計回りに１８０［ｄｅｇｒｅｅ］だけ回線する時に、図１又は例えば図２（Ａ）のＴ１，Ｔ２，Ｔ３が図４のＴ１，Ｔ２，Ｔ３に対応する。
【００５２】
図４の第１の入力部１０、即ち鍵盤は、例えば、音Ｇ５（周波数783.99［Ｈｚ］）に対応する凸部１１（固定領域）と、音Ｇ５＃（周波数739.99［Ｈｚ］）に対応する凸部１２（固定領域）と、凸部１１及び凸部１２を形成する切欠部（凹部）１５と、を含んでいる。また、図４の鍵盤は、例えば、音Ｆ５（周波数698.46［Ｈｚ］）に対応する凸部１３（固定領域）と、音Ｅ５（周波数659.26［Ｈｚ］）に対応する凸部１４（固定領域）と、凸部１３及び凸部１４を形成する切欠部（凹部）１６と、を更に含んでいる。ここで、切欠部（凹部）１５の一部は、切欠部（凹部）１６の一部と重複している。加えて、図４の鍵盤は、例えば、音Ｄ５＃（周波数622.25［Ｈｚ］）〜音Ｆ３（周波数174.61［Ｈｚ］）に対応する２３個の凸部（固定領域）を更に含んでいる。
【００５３】
図４に示されるように、第１の入力部１０の入力平面は、複数の領域に分割され、複数の領域のうちの１つの領域は、例えば凸部１４によって規定される領域、即ち固定領域である。言い換えれば、ユーザが例えばペンの先端Ｔ３を凸部１４（固定領域）を接触させる時に、例えばスピーカは、音Ｅ５（第１の音）を出力することができる。もちろん、ペンの先端Ｔ３が凸部１４によって規定される領域（固定領域）を移動する場合であっても、スピーカは、音Ｅ５（第１の音）を出力し続けることができる。具体的には、ペンの先端Ｔ３が図４で示される第１の位置（入力平面内の座標（Ｌｘ，Ｌｙ））から凸部１４によって規定される領域（固定領域）内の任意の位置である第２の位置（図示せず）に変化する場合であっても、スピーカは、音Ｅ５（第１の音）を出力し続けることができる。ここで、第２の位置は、第１の位置と異なる位置である。
【００５４】
代替的に、ペンの先端Ｔ３が図４で示される第１の位置（入力平面内の座標（Ｌｘ，Ｌｙ））から凸部１３（凸部１４の隣）によって規定される領域（固定領域）固定領域内の任意の位置である第２の位置（図示せず）に変化する時に、スピーカは、音Ｅ５（第１の音）の変わりに、音Ｆ５（第２の音）を出力することができる。このように、図１の制御装置２０又は処理部２２は、ペンの先端Ｔ３が複数の領域のうちのどの領域に属するのか否かを判定し、その後、判定された領域に基づき音を決定することができる。
【００５５】
ところで、第１の入力部１０の入力平面又は複数の領域のうちの他の領域は、例えば四角部１８によって規定される領域、即ち可変領域を更に含むことができる。ユーザが例えばペンの先端Ｔ３を四角部１８によって規定される領域（可変領域）に最初に接触させる時に、例えばスピーカは、可変領域内の座標それ自身に応じて、音を出力することができる。１例として、ペンの先端Ｔ３がＴ１（第１の位置）に接触する時に、スピーカは、例えば音Ｇ５（第１の音）を出力することができる。次に、ペンの先端Ｔ３がＴ１からＴ２に向かって、ｙ軸方向に沿って可変領域内を移動する時に、最初の音色（第１の音の音色）から例えば連続的に変化する音色を有する音（第２の音）を生成することができる。具体的には、ペンの先端Ｔ３がＴ１からＴ２まで移動する時に、ｘ軸方向の位置Ｌｘのみに応じて、音Ｇ５（第１の音）から音Ｆ３（第２の音）まで、音色を連続的に変化させることができる。言い換えれば、ペンの先端Ｔ３によって指定される例えばＴ２の位置が、最初に指定された例えばＴ１の位置よりも離れる程、音Ｆ３（第２の音）の音色と音Ｇ５（第１の音）の音色との差が大きくなるように、図１の制御装置２０又は処理部２２は、例えばｘ軸方向の位置Ｌｘのみに応じて、音を決定することができる。
【００５６】
図４の鍵盤又は第１の入力部は、例えば基部（図示せず）の上に、カーボン製の導電性シートを形成又は印刷することによって、形成することができる。導電性シートは、例えば銀製の導電性シートであってもよいが、導電性シートがカーボン製の導電性シートである時に、ポインティングデバイス又は第１の入力部１０の製造コストは、より一層低減される。
【００５７】
また、図４の第１の入力部１０、即ち鍵盤は、例えばスピーカに音Ｇ５等の音階を出力させているが、図４の鍵盤は、例えばスピーカに音階に応じた声（「ド」、［レ］、［ミ］等）を出力させてもよい。ここで、操作部６０は、ユーザに、音階モード又は声モードを選択させてもよい。もちろん、入力部１０の入力平面は、「あ」、［い］、［う］等のひらがな、「Ａ」、［Ｂ］、［Ｃ］等のアルファベット等の文字を入力可能な文字キーボードに適用することができる。その文字キーボードは、複数の文字に対応する複数の領域を備えることができ、制御装置２０又は処理部２２は、Ｔ３が文字キーボードの複数の領域のうちのどの領域に属するのか否かを判定してもよい。加えて、出力部５０は、Ｔ３に対応する文字を表示するディスプレイであってもよい。
【００５８】
本発明は、上述の例示的な実施形態に限定されず、また、当業者は、上述の例示的な実施形態を特許請求の範囲に含まれる範囲まで、容易に変更することができるであろう。
【符号の説明】
【００５９】
１０・・・第１の入力部（例えばカーボン製の導電性シート）、２０・・・制御装置、２１・・・電圧測定部、２２・・・処理部、２３・・・バス、２４・・・記憶部、３０・・・第２の入力部（例えばペン）、４０・・・電源（例えば電池）、５０・・・出力部（例えばスピーカ）、６０・・・操作部、ＳＷ１，ＳＷ２・・・選択部。
【図１】
2015191275.tif 000005
【図２】
2015191275.tif 000006
【図３】
2015191275.tif 000007
【図４】
2015191275.tif 000008